(57)【要約】【課題】マニュアルモードが利用しやすい撮像装置及びそれに用いられる撮影モード表示方法を提供する。【解決手段】電源スイッチを押圧操作すると、デジタルカメラに電源が入り、固定レンズに導光される被写体像は、カメラ部によって撮像されて画像データとなり、補正部によって画像処理が施され、モニタにスルー画像としてリアルタイムに表示される。推奨撮影モード表示機能をオンにして、モニタに表示されるスルー画像を見ながら撮影アングルを決定し、シャッタボタンを半押し操作すると、スルー画像は画像解析手段に送られ、撮影シーンが推定される。その推定された撮影シーンに基づいて、モード判定手段は推奨する撮影モードを判定し、モニタはそれを表示する。十字キー及び決定ボタンによって表示された推奨撮影モードを選択、決定することで推奨撮影モードが設定される。その後、シャッタボタンを全押し操作することで本撮影が行われる。【選択図】図３
2007184733.tif 000002
【特許請求の範囲】
【請求項１】
被写体を撮像して撮影画像を得るための撮像手段と、前記撮像手段によって本撮影を行う際の撮影条件が異なる複数の撮影モードとを備え、前記本撮影によって取得された本画像データを外部メモリに保存する撮像装置において、
前記撮像手段によるプレ撮影で取得したプレ画像データの解析をして前記撮影画像のシーンを判別するシーン判別手段と、
その判別結果に基づいて前記複数の撮影モードのうち少なくとも１つの撮影モードを推奨撮影モードと判定する推奨撮影モード判定手段と、
判定された推奨撮影モードを表示する推奨撮影モード表示手段とを備えたことを特徴とする撮像装置。
【請求項２】
前記撮影モードには、人物や風景を含む主要被写体の種類、被写体を照らす光源の種類を含む撮影環境、コントラストの状態のうち少なくとも１つに応じた複数種類の撮影モードが含まれていることを特徴とする請求項１記載の撮像装置。
【請求項３】
前記推奨撮影モード表示手段に１つの推奨撮影モードが表示された場合には、前記シャッタボタンの全押し操作によって推奨撮影モードが確定されて本撮影が実行されることを特徴とする請求項１又は請求項２記載の撮像装置。
【請求項４】
前記推奨撮影モード表示手段に複数の推奨撮影モードが表示された場合に、それらのいずれかを選択する選択手段を設けたことを特徴とする請求項１ないし請求項３いずれか記載の撮像装置。
【請求項５】
前記推奨撮影モード表示手段は、フレーミングを行うために使用され、前記撮像手段によってスルー画像を取得して、これをリアルタイムで表示するディスプレイであることを特徴とする請求項１ないし請求項４いずれか記載の撮像装置。
【請求項６】
前記プレ画像データとして、前記スルー画像のデータを使用することを特徴とする請求項５記載の撮像装置。
【請求項７】
前記解析を指示する指示手段を備えていることを特徴とする請求項１ないし請求項６いずれか記載の撮像装置。
【請求項８】
前記指示手段はシャッタボタンであり、このシャッタボタンが半押しされることによって前記解析が指示されることを特徴とする請求項７記載の撮像装置。
【請求項９】
前記指示手段は音声を入力するマイクロホンであり、このマイクロホンに所定の音声が入力されることによって前記解析が指示されることを特徴とする請求項７記載の撮像装置。
【請求項１０】
前記シーン判別手段による判別結果に応じて、前記本画像データを前記外部メモリに保存する保存形式を判定する保存形式選択手段を設けたことを特徴とする請求項１ないし請求項９いずれか記載の撮像装置。
【請求項１１】
前記保存形式選択手段は、前記撮像手段によって取得された本画像データに対してデータ圧縮処理を含む画像処理を施してその処理済みの画像データを保存する第１形式と、前記本画像データに対して前記画像処理を施さずに生データのまま保存する第２形式のいずれかを選択することを特徴とする請求項１０記載の撮像装置。
【請求項１２】
前記外部メモリ内の空き容量を検出する空き容量検出手段を備えており、前記空き容量が所定量以下の場合には、前記保存形式選択手段の選択結果にかかわらず、前記本画像データは、前記第１形式で保存されることを特徴とする請求項１１記載の撮像装置。
【請求項１３】
被写体を撮像して撮影画像を得るための撮像手段と、前記撮像手段によって本撮影を行う際の撮影条件が異なる複数の撮影モードとを備えた撮像装置を用いて前記撮影モードを表示する撮影モード表示方法において、
前記撮像手段によるプレ撮影で取得したプレ画像データの解析をして前記撮影画像のシーンを判別するシーン判別ステップと、
その判別結果に基づいて前記複数の撮影モードのうち少なくとも１つの撮影モードを推奨撮影モードと判定する推奨撮影モード判定ステップと、
判定された推奨撮影モードを表示する推奨撮影モード表示ステップとを備えたことを特徴とする撮影モード表示方法。
【発明の詳細な説明】
【技術分野】
【０００１】
撮影条件が異なる複数の撮影モードを切り替え可能な撮像装置及び推奨する撮影モードを表示する撮影モード表示方法に関する。
【背景技術】
【０００２】
様々な撮影シーンに合わせて適切な撮影条件で撮影ができるように、撮影条件が異なる複数種類の撮影モードを備えたデジタルカメラが普及している（例えば、特許文献１参照）。撮影モードは、例えば、カメラ本体に設けられたモード選択部材を操作してマニュアルで切り替えが可能である。撮影モードには、人物撮影モード、風景撮影モード、夜景撮影モードなどがあり、それぞれの撮影モードでは、撮影シーンに応じた適切な撮影条件が設定される。こうした撮影モードは、例えば、カメラ本体に設けられたモード選択ダイヤルなどを操作することによりマニュアルで切り替えが可能である。
【０００３】
また、多くのデジタルカメラには、撮影シーンに応じた撮影モードの他、自動的に撮影条件を切り替えるオートモードが設けられている。オートモードでは、例えば、測光情報などに基づいてカメラが撮影シーンを自動判別してそれに応じた撮影条件が設定される。オートモードでは、撮影条件が切り替わるものの、マニュアルでモード選択する場合と比較して、標準的な撮影条件から大きく変化することはないため、オートモードよりも、マニュアルでモード選択した場合の方が、撮影シーンに応じた適切な撮影条件を設定することができる場合が多い。
【特許文献１】特開２００５−１７５６８４号公報
【発明の開示】
【発明が解決しようとする課題】
【０００４】
しかしながら、一般ユーザーの多くは、撮影モード毎の撮影特性を十分に理解できていないことに加えて、操作の煩雑さも手伝って、マニュアルによるモード選択を敬遠する傾向がある。しかし、上述した通りマニュアルモードにはオートモードでは得られない利用価値があるため、マニュアルモードを利用しやすくすることで、マニュアルモードをユーザーに使用してもらうための方策が模索されていた。
【０００５】
本発明は、マニュアルモードが利用しやすい撮像装置を提供することを目的とする。
【課題を解決するための手段】
【０００６】
上記目的を達成するために、本発明の撮像装置は、被写体を撮像して撮影画像を得るための撮像手段と、前記撮像手段によって本撮影を行う際の撮影条件が異なる複数の撮影モードとを備え、本撮影によって取得された本画像データを外部メモリに保存する撮像装置であって、撮像手段によるプレ撮影で取得したプレ画像データの解析をして撮影画像のシーンを判別するシーン判別手段と、その判別結果に基づいて複数の撮影モードのうち少なくとも１つの撮影モードを推奨撮影モードと判定する推奨撮影モード判定手段と、判定された推奨撮影モードを表示する推奨撮影モード表示手段とを備えたことを特徴とする。
【０００７】
なお、撮影モードには、人物や風景を含む主要被写体の種類、被写体を照らす光源の種類を含む撮影環境、コントラストの状態のうち少なくとも１つに応じた複数種類の撮影モードが含まれていることが好ましい。
【０００８】
また、推奨撮影モード表示手段に１つの推奨撮影モードが表示された場合には、シャッタボタンの全押し操作によって推奨撮影モードが確定されて本撮影が実行されることが好ましい。
【０００９】
さらに、推奨撮影モード表示手段に複数の推奨撮影モードが表示された場合に、それらのいずれかを選択する選択手段を設けていることが好ましい。
【００１０】
さらに、推奨撮影モード表示手段は、フレーミングを行うために使用され、撮像手段によってスルー画像を取得して、これをリアルタイムで表示するディスプレイであることが好ましい。
【００１１】
さらに、プレ画像データとして、スルー画像のデータを使用することが好ましい。
【００１２】
さらに、解析を指示する指示手段を備えていることが好ましい。
【００１３】
なお、指示手段はシャッタボタンであり、このシャッタボタンが半押しされることによって解析が指示されることが好ましい。
【００１４】
または、指示手段はマイクロホンであり、このマイクロホンに所定の音声が入力されることによって解析が指示されることが好ましい。
【００１５】
さらに、シーン判別手段による判別結果に応じて、本画像データを外部メモリに保存する保存形式を判定する保存形式選択手段を設けていることが好ましい。
【００１６】
さらに、保存形式選択手段は、撮像手段によって取得された本画像データに対してデータ圧縮処理を含む画像処理を施してその処理済みの画像データを保存する第１形式と、本画像データに対して画像処理を施さずに生データのまま保存する第２形式のいずれかを選択できることが好ましい。
【００１７】
さらに、外部メモリ内の空き容量を検出する空き容量検出手段を備えており、空き容量が所定量以下の場合には、保存形式選択手段の選択結果にかかわらず、本画像データは、第１形式で保存されることが好ましい。
【００１８】
本発明の撮影モード表示方法は、被写体を撮像して撮影画像を得るための撮像手段と、撮像手段によって本撮影を行う際の撮影条件が異なる複数の撮影モードとを備えた撮像装置を用いて撮影モードを表示する撮影モード表示方法であって、撮像手段によるプレ撮影で取得したプレ画像データの解析をして撮影画像のシーンを判別するシーン判別ステップと、その判別結果に基づいて複数の撮影モードのうち少なくとも１つの撮影モードを推奨撮影モードと判定する推奨撮影モード判定ステップと、判定された推奨撮影モードを表示する推奨撮影モード表示ステップとを備えたことを特徴とする。
【発明の効果】
【００１９】
本発明の撮像装置によれば、撮像手段によるプレ撮影で取得したプレ画像データの解析をして撮影画像のシーンを判別するシーン判別手段と、その判別結果に基づいて複数の撮影モードのうち少なくとも１つの撮影モードを推奨撮影モードと判定する推奨撮影モード判定手段と、判定された推奨撮影モードを表示する推奨撮影モード表示手段とを備えているので、マニュアルモードが利用しやすく、撮影シーンに応じた適切な撮影条件を設定することができる。
【００２０】
また、撮影モードには、人物や風景を含む主要被写体の種類、被写体を照らす光源の種類を含む撮影環境、コントラストの状態のうち少なくとも１つに応じた複数種類の撮影モードが含まれているので、撮影シーンに応じた適切な撮影条件により撮影することができる。
【００２１】
さらに、推奨撮影モード表示手段に１つの推奨撮影モードが表示された場合には、シャッタボタンの全押し操作によって推奨撮影モードが確定されて本撮影が実行されるので、撮影操作が簡単である。
【００２２】
さらに、推奨撮影モード表示手段に複数の推奨撮影モードが表示された場合に、それらのいずれかを選択する選択手段を設けているので、ユーザーの撮影意図が考慮された撮影ができる。
【００２３】
さらに、推奨撮影モード表示手段は、フレーミングを行うために使用され、撮像手段によってスルー画像を取得して、これをリアルタイムで表示するディスプレイであるので、新たな部品を付加しなくて済む。
【００２４】
さらに、プレ画像データとして、スルー画像のデータを使用することより、撮影時のタイムラグを小さくできる。
【００２５】
さらに、解析を指示する指示手段を備えていることより、必要に応じて撮影画像のシーンを判別することができる。
【００２６】
また、指示手段はシャッタボタンであり、このシャッタボタンが半押しされることによって解析が指示されることより、部品点数を増やすことはなく、撮像装置の構造を複雑にすることはない。
【００２７】
または、指示手段は音声を入力するマイクロホンであり、このマイクロホンに所定の音声が入力されることによって解析が指示されることより、マニュアル操作は不要であり、操作が煩雑になることはない。
【００２８】
さらに、シーン判別手段による判別結果に応じて、本画像データを外部メモリに保存する保存形式を判定する保存形式選択手段を設けたことより、画像データの種類毎に保存方法を画一的に分けることができる。
【００２９】
さらに、保存形式選択手段は、撮像手段によって取得された本画像データに対してデータ圧縮処理を含む画像処理を施してその処理済みの画像データを保存する第１形式と、本画像データに対して画像処理を施さずに生データのまま保存する第２形式のいずれかを選択するので、画像処理の精度が求められる画像データであっても、画像処理の失敗による画質の劣化を防ぐことができる。
【００３０】
さらに、外部メモリ内の空き容量を検出する空き容量検出手段を備えており、空き容量が所定量以下の場合には、保存形式選択手段の選択結果にかかわらず、本画像データは、第１形式で保存されるので、外部メモリ内の空き容量不足によって画像データが保存できなくなることを防ぐことができる。
【００３１】
本発明の撮影モード表示方法によれば、撮像手段によるプレ撮影で取得したプレ画像データの解析をして撮影画像のシーンを判別するシーン判別ステップと、その判別結果に基づいて複数の撮影モードのうち少なくとも１つの撮影モードを推奨撮影モードと判定する推奨撮影モード判定ステップと、判定された推奨撮影モードを表示する推奨撮影モード表示ステップとを備えたことより、撮影シーンに応じた撮影モードが表示されるので、撮影シーンに応じた適切な撮影条件を設定することができる。
【発明を実施するための最良の形態】
【００３２】
本発明を実施したデジタルカメラ１の電気的構成を示すブロック図を図１に示す。デジタルカメラ１は、ＣＰＵ１０によって各種回路が全体的に制御されている。ＣＰＵ１０には、カメラ部１５、操作部３０、画像処理部３５、ＲＡＭ４０、モニタ４１及びモード判定手段４２が接続されている。
【００３３】
カメラ部１５は、撮影レンズ１６、絞り機構２０、ＣＣＤイメージセンサ（撮像手段）２１、相関二重サンプリング回路（ＣＤＳ）２２、アンプ（ＡＭＰ）２３、Ａ／Ｄ変換器２４、画像入力コントローラ２５、ズームレンズ駆動モータ５０、フォーカスレンズ駆動モータ５１、絞り駆動モータ５２、ドライバ５３、５４、５５、ＣＣＤドライバ５６及びタイムジェネレータ５７からなる。撮影レンズ１６は、固定レンズ１７、ズームレンズ１８及びフォーカスレンズ１９からなり、ズームレンズ１８及びフォーカスレンズ１９は、ズームレンズ駆動モータ５０、フォーカスレンズ駆動モータ５１の駆動によってそれぞれ移動される。また、ＣＣＤイメージセンサ２１の前方には、絞り機構２０が配置されている。絞り機構２０は、絞り駆動モータ５２の駆動によってＦ値（絞り値）が切り替えられ、ＣＣＤイメージセンサ２１に入る光量を調整する。
【００３４】
ズームレンズ駆動モータ５０、フォーカスレンズ駆動モータ５１及び絞り駆動モータ５２は、ドライバ５３、５４、５５にそれぞれ接続されており、これらのドライバ５３〜５５を介してＣＰＵ１０によって駆動が制御されている。
【００３５】
ＣＣＤイメージセンサ２１には、ＣＣＤドライバ５６が接続されている。ＣＣＤドライバ５６は、タイミングジェネレータ５７から入力されるクロックパルスに応じて、垂直駆動信号及び水平駆動信号をＣＣＤイメージセンサ２１に入力して、ＣＣＤイメージセンサ２１を駆動する。また、タイミングジェネレータ５７は、ＣＰＵ１０に接続されており、ＣＰＵ１０は、このタイミングジェネレータ５７を制御して、クロックパルスを発生させることによってＣＣＤイメージセンサ２１の駆動を制御する。
【００３６】
また、ＣＣＤイメージセンサ２１には、相関二重サンプリング回路（ＣＤＳ）２２及びアンプ（ＡＭＰ）２３が接続されている。これらによって、ＣＣＤイメージセンサ２１から出力された撮像信号に対して、ノイズの除去や増幅が施される。
【００３７】
その後、ノイズの除去や増幅が施された撮像信号が、Ａ／Ｄ変換器２４によってアナログ信号からデジタル信号に変換されて、画像入力コントローラ２５に画像データとして出力される。
【００３８】
画像入力コントローラ２５は、Ａ／Ｄ変換器２４から出力された画像データをＲＡＭ４０に記憶させる。
【００３９】
画像処理部３５は、補正部３６と画像解析手段３７とからなる。補正部３６はＣＰＵ１０と接続されており、ＲＡＭ４０に一時的に記憶されている画像データに対して階調変換、ホワイトバランス、γ補正等の各種画像処理及びＹＣ変換処理等を施す。画像処理が施された画像データは、モニタ（ディスプレイ）４１にスルー画像としてリアルタイムで表示される。
【００４０】
モニタ４１は、例えばＣＣＤイメージセンサ２１によって、１秒間に約３０コマのフレームレートで取得されるスルー画像をリアルタイムで表示する他、メモリカード（外部メモリ）４５に保存されている画像データを表示したり、各種機能の設定について表示したりする。
【００４１】
操作部３０は、十字キー２８、決定ボタン２９、電源スイッチ３１、シャッタボタン３２、モード選択ボタン３３及び推奨モード表示ボタン３４からなり、それぞれがＣＰＵ１０と接続されている。十字キー２８は、各種設定の選択に用いられ、決定ボタン２９は、選択された各種設定について選択することができる。電源スイッチ３１は、デジタルカメラ１の電源のオンオフ操作ができる。シャッタボタン３２は、浅く押圧するいわゆる半押し操作と、深く押圧するいわゆる全押し操作との２段階の押圧操作ができる機械的構造となっている。
【００４２】
モード選択ボタン３３は、撮影条件が異なる複数の撮影モードを切り替えることができる。撮影条件としては、絞り、シャッタスピード（電荷蓄積時間）、ＩＳＯ感度、露出値などがある。撮影モードには、大きく分けて、オートモードとマニュアルモードがある。オートモードは、被写体を測光してその測光値に基づいて撮影シーンを自動判別して撮影条件を切り替える撮影モードである。オートモードでは、シャッタボタン３２が半押し操作されると、測光が開始されて撮影条件が自動設定され、シャッタボタン３２が全押し操作されると、自動設定された撮影条件で撮影が行われる。
【００４３】
マニュアルモードには、人物撮影に適した撮影条件に設定する人物撮影モード、風景撮影に適した撮影条件に設定する風景撮影モード、夜間撮影に適した撮影条件に設定する夜景撮影モードがある。各マニュアルモードは、ユーザーがモード選択ボタン３３を操作してそれぞれ選択される。
【００４４】
また、このデジタルカメラ１には、推奨撮影モード表示ボタン３４が設けられている。デジタルカメラ１には、推奨撮影モード表示機能を備えており、推奨撮影モード表示ボタン３４は、推奨撮影モード表示機能のオンオフを切り替える操作部材である。推奨撮影モードとは、各マニュアルモードのうち、デジタルカメラ１が撮影シーンに応じて最も適した撮影モードだと判定した撮影モードをいう。デジタルカメラ１は、撮影モードがマニュアルモードのいずれかに設定され、且つ、推奨撮影モード表示機能がオンの状態では、シャッタボタン３２が半押し操作されたときに、その時点で取得されたスルー画像を画像解析して、撮影シーンを推定して、推奨撮影モードを判定する。
【００４５】
画像解析手段（シーン判別手段）３７はＣＰＵ１０と接続されており、スルー画像について画像解析し、撮影シーンを推定する。なお、撮影シーンの推定方法は、例えば、特開２００４−６２６０５号公報に示されるように、画像データから複数のオブジェクト領域を抽出し、その領域毎の種類を判別することによってされることが好ましい。具体的には、画像内より被写体である人物、空、海、木、建物、その他のオブジェクトが占める領域をオブジェクトの種類毎に抽出し、そのオブジェクトの種類を判別するものである。
【００４６】
モード判定手段（推奨撮影モード判定手段）４２は、画像解析手段３７によって推定された撮影シーンに基づいて、撮影条件にふさわしい少なくとも１つの撮影モードを判定する。撮影モードが判定されると、図２に示すように、モニタ（推奨撮影モード表示手段）４１は、スルー画像が表示されるスルー画像表示領域６０と推奨撮影モードが表示されるモード表示領域６１とに分けられ、スルー画像と併せて推奨撮影モードを表示する。
【００４７】
十字キー（選択手段）２８を操作することでモニタ４１に表示された推奨撮影モードの１つを選択し、決定ボタン（選択手段）２９により決定すると、推奨撮影モードが設定される。例えば、モード選択ボタン３３で風景撮影モードに設定されている場合でも、推奨撮影モードとして人物撮影モードが表示され、決定ボタン２９でそのモードを決定すると、風景撮影モードから人物撮影モードに切り替えられる。その後、シャッタボタン３２を全押し操作することで、撮影シーンに応じた適切な撮影条件にて本撮影をすることができる。
【００４８】
以下、上記構成に関する作用について図３のフローチャートを参照しながら説明する。電源スイッチ３１を押圧操作すると、デジタルカメラ１に電源が入り、固定レンズ１７に導光される被写体像は、カメラ部１５によって撮像されて画像データとなり、補正部３６によって画像処理が施され、モニタ４１にスルー画像としてリアルタイムに表示される。
【００４９】
推奨撮影モード表示機能がオフの場合、モード選択ボタン３３によって撮影モードを切り替え、シャッタボタン３２を全押し操作することで、選択された撮影モードで撮影が行われる。
【００５０】
推奨撮影モード表示機能がオンの場合、モニタ４１に表示されるスルー画像を見ながら撮影アングルを決定し、シャッタボタン３２を半押し操作すると、モニタ４１に表示されているスルー画像は画像解析手段３７に送られ、撮影シーンが推定される。その推定された撮影シーンに基づいて、モード判定手段４２は推奨撮影モードを判定し、モニタ４１はそれを表示する（図２）。十字キー２８及び決定ボタン２９によって表示された推奨撮影モードを選択、決定することで推奨撮影モードが設定される。その後、シャッタボタン３２を全押し操作することで撮影シーンに応じた適切な撮影条件にて本撮影をすることができる。
【００５１】
なお、上記実施形態では、撮像装置としてデジタルカメラ１の場合を例に説明したが、カメラ付きの携帯電話やＰＤＡなどであっても良い。
【００５２】
また、上記実施形態では、本撮影前に撮影されるプレ画像データとして、スルー画像を用い、これを解析することで撮影シーンを推定しているが、モニタ４１表示用のスルー画像とは別にプレ撮影を行って、これにより取得された画像データを撮影シーン推定のためのプレ画像データとして使用してもよい。
【００５３】
さらに、上記実施形態において、撮影シーンの推定は、シャッタボタン３２が半押し操作されたときにされる場合を例に説明したが、これに限定されるのではなく、例えば別にボタンを設け、そのボタンが操作されることによってなされることとしても良く、または、音声を入力するマイクロホンを設け、そのマイクロホンに所定の音声が入力されることによってなされることとしても良い。
【００５４】
さらに、上記実施形態において、マニュアルモードとして人物撮影モード、風景撮影モード及び夜景撮影モードを列挙したが、これらは例であり、他の種々の撮影モードが考えられる。
【００５５】
さらに、上記実施形態において、推奨撮影モード表示手段としてスルー画像が表示されるモニタ４１を兼用した場合を例に説明したが、これは例であり、別途推奨撮影モード表示手段を設けてもよい。
【００５６】
さらに、上記実施形態においては、画像解析によって撮影シーンを推定して推奨撮影モードを判定して提示する例を説明した。こうした画像解析による撮影シーンの推定は、推奨撮影モードを提示する以外にも有効な利用方法が考えられる。例えば、撮影シーンを推定することにより、デジタルカメラの撮影画像データの保存形式を変更してもよい。撮影画像データの保存形式には、例えば、ＣＣＤイメージセンサが出力したアナログ信号をデジタル信号に変換した生の画像データに対して、デジタルカメラ固有の画像処理を施すとともにデータ圧縮処理を施して保存する処理済みデータ保存形式（第１形式）と、デジタルカメラ固有の画像処理を施さずに保存する生データ保存形式（第２形式）の２種類が知られている。
【００５７】
処理済みデータ保存形式は、画像ファイルフォーマットの名称を引用してＪＰＥＧ形式などと呼ばれ、生データ保存形式は、例えば、ＲＡＷ形式などと呼ばれる。ＪＰＥＧ形式は、デジタルカメラによる画像処理によってある程度の絵の仕上がりが決まってしまうため、画像処理の自由度が低い。その反面、画像データのデータサイズを小さくすることができる。ＲＡＷ形式は、生の画像データであるので、画像処理の自由度が高く、ユーザー好みの仕上げをしやすい。その反面、画像データのデータサイズが大きい。
【００５８】
こうした保存形式は、通常、マニュアルで切り替えできるようになっており、その選択は、ユーザーにゆだねられている。しかし、撮影シーンによっては、デジタルカメラ固有の画像処理を施すと、画像処理に失敗するケースがあり、いったん画像処理に失敗した画像データは復元が難しい。画像処理に失敗する撮影シーンとしては、海中、夕日、ハイコントラストなどの特殊な撮影シーンがある。そこで、上記撮影シーンの推定機能を利用することで、データの保存形式を自動的に切り替えられるようにしておくと便利である。
【００５９】
しかし、ＲＡＷ形式の生の画像データはデータサイズが大きいため、こうして撮影シーンに応じて保存形式を自動的に切り替える場合には、メモリカードの容量を調べて、容量にある程度の余裕がある場合にだけＲＡＷ形式が選択されることが好ましい。
【００６０】
こうした保存形式の選択とメモリカードの容量検知は、例えば、画像解析手段３７とＣＰＵ１０によって行われる。図４のフローチャートに示すように、シャッタボタン３２が半押し操作されると、画像解析手段３７が、プレ撮影データであるスルー画像を解析することにより、上記特殊シーンか否かを判定する。その判定結果に基づいてＣＰＵ１０がいずれかの保存形式を選択する。そして、ＲＡＷ形式が選択された場合には、さらに、ＣＰＵ１０は、メモリカード４５内の空き容量を調べる。そして、空き容量が所定量以上ある場合には、選択したＲＡＷ形式で保存を行う。空き容量が所定量を下回っている場合には、ＪＰＥＧ形式で保存する。
【００６１】
なお、上記実施形態において、撮影シーンを判別して保存形式を自動的に切り替える場合を例に説明したが、撮影シーンに判別した後、推奨される保存形式をモニタ４１などに表示することにより、ユーザーに提示して、最終的な決定をユーザーにさせるようにしてもよい。
【図面の簡単な説明】
【００６２】
【図１】本発明を実施したデジタルカメラの電気的構成を示すブロック図である。
【図２】推奨撮影モードが表示されたモニタの図である。
【図３】撮影手順を示すフローチャートである。
【図４】画像データの保存手順を示すフローチャートである。
【符号の説明】
【００６３】
１  デジタルカメラ
１０  ＣＰＵ
１５  カメラ部
３２  シャッタボタン
３３  モード選択ボタン
３４  推奨モード表示ボタン
３５  画像処理部
３６  補正部
３７  画像解析手段
４１  モニタ
４２  モード判定手段
４５  メモリカード
【図１】
2007184733.tif 000003
【図２】
2007184733.tif 000004
【図３】
2007184733.tif 000005
【図４】
2007184733.tif 000006